(57)【要約】【課題】監視員の状況やプラントの状況に応じた警報情報の提供ができるプラント監視装置および監視方法を提供する。【解決手段】プラント監視装置１Ａは、センサ３からプラント２の状態量を読み込むプラント状態量読込手段４と、読み込まれたプラント状態量と予め設定された警報メッセージ作成条件とを対比して警報メッセージ作成の必要性を判断する表示レベル付警報判断手段５と、警報メッセージを作成する必要があると判断された場合に警報メッセージの表示優先度の情報を付した警報メッセージを作成する表示レベル付警報メッセージ作成手段６と、表示する警報メッセージを予め設定された絞込条件に基づいて絞り込み表示手段９へ送る警報メッセージ絞込手段７とを具備する。絞込条件は、プラント２の監視員の技能レベル毎に表示手段９に表示させる警報メッセージの優先度を規定したものである。【選択図】  図１
2009070331.tif 000002
【特許請求の範囲】
【請求項１】
監視対象であるプラントに取り付けられたセンサから前記プラントの状態量を読み込むプラント状態量読込手段と、
警報メッセージを作成する条件として予め設定された警報メッセージ作成条件と前記プラント状態量読込手段が読み込んだプラント状態量とを対比した結果に基づいて、警報メッセージ作成の必要性を判断する表示レベル付警報判断手段と、
前記表示レベル付警報判断手段が前記警報メッセージを作成する必要があると判断した場合に予め設定された警報メッセージを表示する優先度の情報を付した警報メッセージを作成する表示レベル付警報メッセージ作成手段と、
前記表示レベル付警報メッセージ作成手段が作成した警報メッセージのうち表示する警報メッセージを予め設定された絞込条件に基づいて絞り込み、絞り込んだ警報メッセージを表示可能な表示手段へ送る警報メッセージ絞込手段と、を具備し、
前記絞込条件は、前記プラントの監視員の技能レベル毎に前記表示手段に表示させる警報メッセージの優先度を規定したものであることを特徴とするプラント監視装置。
【請求項２】
前記絞込条件を設定する絞込条件設定手段をさらに具備することを特徴とする請求項１記載のプラント監視装置。
【請求項３】
前記絞込条件は、前記プラントの監視担当毎に前記表示手段に表示させる警報メッセージの優先度を規定したものであり、
前記警報メッセージ絞込手段は、前記監視担当に対応する前記優先度を絞込条件とし、当該絞込条件に基づいて前記警報メッセージの絞り込みを行うように構成されたことを特徴とする請求項１または２記載のプラント監視装置。
【請求項４】
前記絞込条件は、監視対象となるプラントの運用状態毎に前記表示手段に表示させる警報メッセージの優先度を規定したものであり、
前記警報メッセージ絞込手段は、前記運用状態に対応する前記優先度を絞込条件とし、当該絞込条件に基づいて前記警報メッセージの絞り込みを行うように構成されたことを特徴とする請求項１または２記載のプラント監視装置。
【請求項５】
前記絞込条件は、監視対象となるプラント外部の警報毎と前記表示手段に表示させる警報メッセージの優先度を規定したものであり、
前記警報メッセージ絞込手段は前記プラント外部の警報を受け取り、受け取った警報に対応する前記優先度を絞込条件として前記警報メッセージの絞り込みを行うように構成されたことを特徴とする請求項１または２記載のプラント監視装置。
【請求項６】
前記警報メッセージ絞込手段は、前記表示手段が複数ある場合、前記警報メッセージの優先度に応じて警報メッセージを表示する前記表示手段が個別に設定されることを特徴とする請求項１または２記載のプラント監視装置。
【請求項７】
前記警報メッセージ絞込手段は、前記表示手段が複数ある場合、前記プラント内の監視担当設備に応じて警報メッセージを表示する前記表示手段が個別に設定されることを特徴とする請求項１または２記載のプラント監視装置。
【請求項８】
前記絞込条件は、前記プラントの状態量毎に前記表示手段に表示させる警報メッセージの優先度を規定したものであり、
前記プラント状態量読込手段が読み込んだ監視対象であるプラントの状態量が所定の範囲内にある場合に、前記プラント状態量に対応する前記優先度を前記絞込条件として前記警報メッセージ絞込手段に設定する絞込条件設定手段をさらに具備し、
前記警報メッセージ絞込手段は、前記絞込条件設定手段が設定した絞込条件に基づいて前記警報メッセージの絞り込みを行うように構成されたことを特徴とすることを特徴とする請求項１記載のプラント監視装置。
【請求項９】
前記警報メッセージ作成条件、前記警報メッセージを表示する優先度、前記監視員の技能レベル、前記監視員の監視担当、前記警報メッセージの優先度に応じて設定される表示手段、および、前記監視担当設備毎に設定される表示手段、の少なくとも何れかの情報を編集する編集手段をさらに具備することを特徴とする請求項１乃至８のうち何れかに記載のプラント監視装置。
【請求項１０】
監視対象であるプラントに取り付けられたセンサから前記プラントの状態量を読み込むプラント状態量読込ステップと、
警報メッセージを作成する条件として予め設定された警報メッセージ作成条件と前記プラント状態量読込手段が読み込んだプラント状態量とを対比した結果に基づいて、警報メッセージ作成の必要性を判断する表示レベル付警報判断ステップと、
前記表示レベル付警報判断ステップで前記警報メッセージを作成する必要があると判断された場合に予め設定された警報メッセージを表示する優先度の情報を付した警報メッセージを作成する表示レベル付警報メッセージ作成ステップと、
前記表示レベル付警報メッセージ作成ステップで作成された警報メッセージのうち表示する警報メッセージを予め設定された絞込条件に基づいて絞り込み、絞り込んだ警報メッセージを表示可能な表示手段へ送る警報メッセージ絞込ステップと、を具備し、
前記絞込条件は、前記プラントの監視員の技能レベル毎に前記表示手段に表示させる警報メッセージの優先度を規定したものであることを特徴とするプラント監視方法。
【発明の詳細な説明】
【技術分野】
【０００１】
本発明は、プラントの状態を監視する監視装置および監視方法に係り、特に、プラントの監視員の状況やプラントの状況に応じた警報情報の提供を行うプラント監視装置および監視方法に関する。
【背景技術】
【０００２】
プラント監視装置においては、想定された運転状況から逸脱すると、警報情報を監視員に対し提供し、処置や是正操作を促す。その警報条件は、注意を喚起するための条件や、事故・故障を未然に防ぐ為の条件や、事故・故障そのものなど、様々な方向から設定がされているため、プラントの状態に大きな変動があると、複数の警報条件に同時に合致し、複数の警報情報が一斉に表示される。このようなプラント監視装置および監視方法の一例としては、特許文献１に開示されるものがある。
【特許文献１】特公平２−７５７号公報
【発明の開示】
【発明が解決しようとする課題】
【０００３】
しかしながら、表示装置の表示能力の限界を超えると、超えた分の警報情報を提供することが出来なくなってしまう。また、大型のプラントでは複数の監視員が居るため、監視しようとしている監視員の状況や目的によっては、目的に合致しない不要な情報も提供してしまい、監視員が欲する警報情報については、表示能力を超えたことから監視員に提供できなくなってしまうことがあった。
【０００４】
本発明の目的は、上記事情を考慮してなされたものであり、監視員の状況や、プラントの状況に応じた警報情報の提供ができるプラント監視装置およびプラント監視方法を提供することである。
【課題を解決するための手段】
【０００５】
本発明に係るプラント監視装置は、上述した課題を解決するため、特許請求の範囲に記載したように、監視対象であるプラントに取り付けられたセンサから前記プラントの状態量を読み込むプラント状態量読込手段と、警報メッセージを作成する条件として予め設定された警報メッセージ作成条件と前記プラント状態量読込手段が読み込んだプラント状態量とを対比した結果に基づいて、警報メッセージ作成の必要性を判断する表示レベル付警報判断手段と、前記表示レベル付警報判断手段が前記警報メッセージを作成する必要があると判断した場合に予め設定された警報メッセージを表示する優先度の情報を付した警報メッセージを作成する表示レベル付警報メッセージ作成手段と、表示レベル付警報メッセージ作成手段が作成した警報メッセージのうち表示する警報メッセージを予め設定された絞込条件に基づいて絞り込み、絞り込んだ警報メッセージを表示可能な表示手段へ送る警報メッセージ絞込手段と、を具備し、前記絞込条件は、前記プラントの監視員の技能レベル毎に前記表示手段に表示させる警報メッセージの優先度を規定したものであることを特徴とする。
【０００６】
本発明に係るプラント監視方法は、上述した課題を解決するため、特許請求の範囲に記載したように、監視対象であるプラントに取り付けられたセンサから前記プラントの状態量を読み込むプラント状態量読込ステップと、警報メッセージを作成する条件として予め設定された警報メッセージ作成条件と前記プラント状態量読込手段が読み込んだプラント状態量とを対比した結果に基づいて、警報メッセージ作成の必要性を判断する表示レベル付警報判断ステップと、前記表示レベル付警報判断ステップで前記警報メッセージを作成する必要があると判断された場合に予め設定された警報メッセージを表示する優先度の情報を付した警報メッセージを作成する表示レベル付警報メッセージ作成ステップと、前記表示レベル付警報メッセージ作成ステップで作成された警報メッセージのうち表示する警報メッセージを予め設定された絞込条件に基づいて絞り込み、絞り込んだ警報メッセージを表示可能な表示手段へ送る警報メッセージ絞込ステップと、を具備し、前記絞込条件は、前記プラントの監視員の技能レベル毎に前記表示手段に表示させる警報メッセージの優先度を規定したものであることを特徴とする。
【発明の効果】
【０００７】
本発明によれば、監視員の状況や、プラントの状況に応じた警報情報を提供することができる。より具体的には、監視員の状況やプラントの状況に応じて警報メッセージを表示するか否かを選別することができるので、監視員にとって有益（有効）でない警報メッセージを表示することがなくなり、監視員の負担を軽減することができる。また、従来装置および方法と比較して表示すべき警報メッセージが表示能力を超えにくく、重要な情報を確認する前に新しい警報メッセージが次から次へと表示されて表示範囲外となる（又は消去される）リスクを低減することができる。
【発明を実施するための最良の形態】
【０００８】
以下、本発明に係るプラント監視装置および監視方法について添付の図面を参照して説明する。
【０００９】
［第１の実施形態］
図１は、本発明の第１の実施形態に係るプラント監視装置の一実施例であるプラント監視装置１Ａの構成を概略的に示したブロック図である。
【００１０】
プラント監視装置１Ａは、監視対象であるプラント２の状態を監視する装置である。図１に示されるように、プラント監視装置１Ａは、センサ３を介してプラント２の状態量を読み込むプラント状態量読込手段４と、表示レベルを付した警報メッセージ（以下、表示レベル付警報メッセージとする）を作成する必要性を判断する表示レベル付警報判断手段５と、表示レベル付警報メッセージを作成する表示レベル付警報メッセージ作成手段６と、作成された警報メッセージのうち表示する警報メッセージを絞り込む警報メッセージ絞込手段７と、警報メッセージ絞込手段７が絞り込む際に必要となる監視員の条件を設定する監視員条件設定手段８と、絞り込まれた警報メッセージを表示する絞込警報メッセージ表示手段９とを具備する。
【００１１】
プラント状態量読込手段４は、監視対象であるプラント２の構成機器等に取り付けられたセンサ３を介してプラント２の状態量を取得する機能および読み取る機能を有する。プラント状態量読込手段４は、センサ３を介して取得し読み取ったプラント２の状態量をプラント状態量データベース（以下、データベースをＤＢと省略する）１１に記録して格納する。
【００１２】
表示レベル付警報判断手段５は、プラント状態量読込手段４が取得し読み込んだプラント状態量および予め設定された警報メッセージ作成条件に基づき、表示レベル付警報メッセージを作成する必要性を判断する機能を有する（表示レベル付警報判断機能）。警報メッセージ作成条件については、表示レベル付警報判断手段５が参照可能な表示レベル付警報条件ＤＢ１２に格納される。
【００１３】
表示レベル付警報判断手段５は、プラント状態量読込手段４が取得し読み込んだプラント状態量と予め表示する優先度（表示レベル）に応じてレベル分けした警報メッセージ作成条件とを比較し、合致した場合、表示レベル付警報メッセージを作成する必要があると判断する。表示レベル付警報判断手段５は、表示レベル付警報メッセージを作成する必要性について判断すると、判断結果を表すデータ（以下、単に判断結果とし、その詳細は図４において後述する）を表示レベル付警報メッセージ作成手段６へ通知する。
【００１４】
表示レベル付警報メッセージ作成手段６は、表示レベル付警報メッセージを作成する機能を有する。表示レベル付警報メッセージ作成手段６は、表示レベル付警報判断手段５から送られる判断結果に基づいて表示レベル付警報メッセージを作成する。作成された表示レベル付警報メッセージは、警報メッセージ絞込手段７等の他の手段から読み出し可能な状態で表示レベル付警報メッセージＤＢ１３に記録され格納される。
【００１５】
警報メッセージ絞込手段７は、表示レベル付警報メッセージＤＢ１３に格納される表示レベル付き警報メッセージを読み出し、読み出した表示レベル付き警報メッセージのうち予め設定されたプラント２の監視員の条件に該当する表示レベル付き警報メッセージを抽出し、抽出した表示レベル付き警報メッセージから警報メッセージを抽出して絞込警報メッセージ表示手段９へ送る。
【００１６】
監視員条件設定手段８は、絞込警報メッセージ表示手段９や表示装置１５に表示する警報メッセージを絞り込む際に必要なプラント２の監視員の条件を設定する。監視員条件設定手段８は、例えば、氏名等の監視員を特定するための情報を入力すると、監視員と監視員の技能の情報を関連付けて構成された監視員技能ＤＢ１７を参照して監視を行う監視員の技能レベルを抽出し、抽出した技能レベルを警報メッセージ絞込手段７が絞り込みをする際の条件となるように設定する。
【００１７】
絞込警報メッセージ表示手段９は、情報を可視化して表示する表示機能を有する。絞込警報メッセージ表示手段９は、警報メッセージ絞込手段７から絞り込んだ警報メッセージを受けとると、表示機能を用いて、警報メッセージ絞込手段７から受けとった警報メッセージを絞込警報メッセージ表示手段９が有するディスプレイ等の表示部（図１において省略）、に表示することができる。
【００１８】
また、絞込警報メッセージ表示手段９は、外部の表示装置１５との電気的接続を担うインターフェイス機能を有し、図１に示されるように表示装置１５と電気的に接続されている場合、絞込警報メッセージ表示手段９の表示部に表示される内容を表示装置１５に表示することができる。
【００１９】
図２〜図９を参照して、図１に示されるプラント監視装置１Ａが行うプラント監視の手順（以下、第１の監視手順とする）について説明する。
【００２０】
プラント監視装置１Ａでは、まず、プラント状態量読込手段４が、センサ３を介して監視対象のプラント２の状態量を読み込み、読み込んだプラント状態量をプラント状態量ＤＢ１１に記録して格納する。
【００２１】
図２は、監視対象となるプラント２の状態量を格納するプラント状態量ＤＢ１１のデータ構造の一例を示した概略図である。
【００２２】
図２に示されるように、ＰＩＤ番号とステータスの項目が設定されており各ＰＩＤ番号に対するステータスの項目にプラント状態量が記録され格納される。ここで、ＰＩＤ番号とはプラント２のセンサ３によってセンシングされる項目毎に独自に付けられるポイント識別番号である。また、ステータスとはセンサ３で取得された情報の内容を示すものであり、センサ３から取得された信号がアナログ信号であればその数値を、デジタル信号であればＯＮ（１）またはＯＦＦ（０）を、記録し格納する。
【００２３】
図２に示されるように、プラント状態量読込手段４が、読み込んだプラント状態量をプラント状態量ＤＢ１１に記録して格納すると、続いて、表示レベル付警報判断手段５が、プラント状態量および予め設定された警報メッセージ作成条件に基づき、表示レベル付警報メッセージを作成する必要性を判断する。この時、プラント状態量および警報メッセージ作成条件の取得は、それぞれ、プラント状態量ＤＢ１１および表示レベル付警報条件ＤＢ１２を読み出すことで実施される。
【００２４】
図３は、警報メッセージ作成条件を格納した表示レベル付警報条件ＤＢ１２のデータ構造の一例を示した概略図である。
【００２５】
図３に示されるように、表示レベル付警報条件ＤＢ１２には、ＰＩＤ番号、ポイント名称、警報メッセージ作成条件、および、表示レベルの項目が設定されており、各項目の情報が記録されている。ここで、ポイント名称とはＰＩＤ番号（ポイント識別番号）で表されるポイントの内容を具体的に示す名称である。また、警報メッセージ作成条件とは、警報メッセージの作成を必要とする条件であり、表示レベルとは、監視を行う監視員の技能レベルに対応させて規定される表示の優先度である。尚、図３に示される一例は、表示レベルを重要度が高いものから順に３，２，１の３段階に設定した場合である。
【００２６】
表示レベル付警報判断手段５は、図２に示されるプラント状態量および図３に示される警報メッセージ作成条件を取得すると、ＰＩＤ番号毎にそのステータスが警報メッセージ作成条件を満たすか否かを判断する。図２に示されるプラント状態量では、図３に示されるように、ＰＩＤ番号Ｂ００１，Ｚ３００，Ｚ３０１が警報メッセージ作成条件を満たしているので、ＰＩＤ番号Ｂ００１，Ｚ３００，Ｚ３０１については、表示レベル付警報メッセージを作成する必要があると判断される。
【００２７】
表示レベル付警報判断手段５が表示レベル付警報メッセージを作成する必要があると判断すると、表示レベル付警報判断手段５は、判断結果を表示レベル付警報メッセージ作成手段６へ送る。
【００２８】
図４は、表示レベル付警報メッセージ作成手段６が受け取る表示レベル付警報判断手段５の判断結果のデータ構造の一例を示した概略図である。
【００２９】
図４に示されるように、表示レベル付警報判断手段５の判断結果は、ＰＩＤ番号、ポイント名称、警報メッセージ作成条件、表示レベル、および、ステータスの項目が設定されており、各項目の情報が記録されている。上述した例（図２に示されるプラント状態量の場合）では、表示レベル付警報メッセージを作成する必要があると判断されたＰＩＤ番号Ｂ００１，Ｚ３００，Ｚ３０１について、表示レベル付警報判断手段５は、ＰＩＤ番号、ポイント名称、警報メッセージ作成条件、表示レベル、および、ステータスの各項目の情報を記録して判断結果を作成する。すなわち、表示レベル付警報判断手段５は、センサ３から取得される各ポイントのプラント状態量のうち、表示レベル付警報メッセージを作成する必要があるポイントと当該内容について記録した判断結果を作成する。
【００３０】
表示レベル付警報判断手段５が判断結果を作成すると、続いて、表示レベル付警報メッセージ作成手段６は、当該判断結果に基づいて、表示レベル付警報メッセージを作成し、表示レベル付警報メッセージＤＢ１３に記録し格納する。
【００３１】
図５は、表示レベル付警報メッセージ作成手段６が作成した表示レベル付警報メッセージの内容を格納した表示レベル付警報メッセージＤＢ１３のデータ構造の一例を示した概略図である。
【００３２】
図５に示されるように、表示レベル付警報メッセージＤＢ１３には、ＰＩＤ番号、ポイント名称、警報メッセージ作成条件、表示レベル、ステータス、および、表示形態の項目が設定されており、各項目の情報が記録されている。表示レベル付警報メッセージ作成手段６は、表示レベル付警報判断手段５から図４に示される判断結果を受け取ると、当該判断結果に基づき、ＰＩＤ番号、ポイント名称、警報メッセージ作成条件、表示レベル、および、ステータスの各項目の情報を記録するとともに、表示形態の項目については、例えば、図５に示される所定の形態で表示する警報メッセージの内容を記録する。
【００３３】
表示レベル付警報メッセージ作成手段６が作成した表示レベル付警報メッセージを表示レベル付警報メッセージＤＢ１３に記録し格納すると、続いて、警報メッセージ絞込手段７が表示レベル付警報メッセージ作成手段６によって作成された表示レベル付警報メッセージのうち表示するものを予め設定されたプラント２の監視員の条件（絞込条件）に基づいて絞り込みを行う。
【００３４】
図６および図７は、監視員条件設定手段８によって予め設定される監視員の条件を説明する図である。より具体的には、図６はユーザが監視員条件設定手段８に与える監視員を特定する情報の一例を示す説明図であり、図７は監視員条件設定手段８が監視員の条件を設定する際に参照する監視員技能ＤＢ１７のデータ構造の一例を示した概略図である。
【００３５】
プラント２の監視員の条件を設定する際は、まず、ユーザが、例えば、図６に示される監視員の名前（以下、監視員名とする）のように、監視員を特定するための情報（以下、監視員識別情報とする）を監視員条件設定手段８から入力する。具体的には、プラント２を監視する監視員の監視員識別情報の一例である監視員名「小林」が入力されると、監視員条件設定手段８は、図７に示される監視員技能ＤＢ１７を参照して当該監視員「小林」の技能レベル「１」という情報を抽出する。
【００３６】
監視員条件設定手段８が監視員技能ＤＢ１７を参照し監視員名をキーとして当該監視員の技能レベルを抽出すると、抽出した技能レベルを警報メッセージ絞込手段７へ通知する。警報メッセージ絞込手段７は、受け取った技能レベルを監視員の条件として設定する。図６および図７に示される例では、警報メッセージ絞込手段７は、監視員条件設定手段８が抽出し取得した小林監視員の技能レベル「１」を表示する警報メッセージの絞込条件として設定する。
【００３７】
警報メッセージ絞込手段７は、表示レベル付警報メッセージ作成手段６が作成した表示レベル付警報メッセージの表示レベルと予め設定された技能レベルとを対比して、技能レベル以上の表示レベルが設定された表示レベル付警報メッセージを抽出することで、表示レベル付警報メッセージの絞り込みを行う。表示レベル付警報メッセージの絞り込みが完了すると、警報メッセージ絞込手段７は、絞り込まれた表示レベル付警報メッセージのうち警報メッセージとして表示する内容、すなわち、表示形態の項目に記録される情報を読み出して絞込警報メッセージ表示手段９へ送る。
【００３８】
図８および図９は警報メッセージ絞込手段７が絞り込みを行った表示レベル付警報メッセージにおける表示形態に記録される情報（警報メッセージとして表示される内容）を示す図であって、図８は監視員が小林の場合、図９は監視員が岡本の場合を示す説明図である。
【００３９】
図８では、図７に示されるように小林の技能レベルは「１」なので、表示レベル付警報メッセージ作成手段６が作成した表示レベル付警報メッセージのうち、表示レベルが１以上となる表示レベル付警報メッセージを抽出し、抽出したメッセージの表示形態の項目の情報が抽出される。すなわち、図５に示される３つの表示レベル付警報メッセージにおける表示形態の情報である「Ｂ００１  ボイラ出口蒸気温度  ５３８以上  ＝  ５４０」、「Ｚ３００  計算機正常  ＝  ＯＦＦ」および「Ｚ３０１  プリンタ故障  ＝  ＯＮ」が抽出される。
【００４０】
一方、図９では、図７に示されるように岡本の技能レベルは「２」なので、表示レベル付警報メッセージ作成手段６が作成した表示レベル付警報メッセージのうち、表示レベルが２以上となる表示レベル付警報メッセージの表示形態の項目の情報が抽出される。すなわち、図５に示される３つの表示レベル付警報メッセージのうち、ＰＩＤ番号がＢ００１，Ｚ３００の２つの表示レベル付警報メッセージが抽出され、抽出した２つの表示レベル付警報メッセージにおける表示形態の情報「Ｂ００１  ボイラ出口蒸気温度  ５３８以上  ＝  ５４０」および「Ｚ３００  計算機正常  ＝  ＯＦＦ」が抽出される。
【００４１】
絞込警報メッセージ表示手段９は、警報メッセージ絞込手段７から絞り込んだ警報メッセージ、すなわち、図８および図９に示されるような表示形態の情報を受け取ると、表示機能を用いて、受けとった警報メッセージを絞込警報メッセージ表示手段９が有する表示部に表示する。また、図１に示されるプラント監視装置１Ａでは、表示装置１５が電気的に接続されているので、絞込警報メッセージ表示手段９の表示部に表示される警報メッセージが絞込警報メッセージ表示手段９から表示装置１５に送られ、同じ警報メッセージが表示装置１５でも表示される。
【００４２】
第１の実施形態によれば、監視員の技能レベルに応じて絞込警報メッセージ表示手段９および表示装置１５に表示する警報メッセージを選別することができるので、監視員にとって有益（有効）でない警報メッセージを表示することがなくなり、監視員の負担を軽減することができる。また、警報メッセージが選別されるので、従来装置および方法と比較して表示すべき警報メッセージが表示能力を超えにくくなる。すなわち、重要な情報を確認する前に新しい警報メッセージが次から次へと表示されて表示範囲外となる（又は消去される）リスクを低減することができる。
【００４３】
尚、図１に示されるプラント監視装置１Ａでは、監視員条件設定手段８が入力された監視員名をキーとして監視員技能ＤＢ１７から取得した当該監視員の技能レベルの情報を監視員の条件として設定していたが、監視員条件設定手段８は、ユーザから直接監視員の技能レベルの入力を受け付けて、入力された技能レベルを監視員の条件として設定しても良い。
【００４４】
また、プラント監視装置１Ａは、監視員条件設定手段８と同じ機能を有する外部装置を接続して監視員条件を設定可能構成しても良い。この場合、プラント監視装置１Ａは、必ずしも監視員条件設定手段８を具備する必要はない。
【００４５】
一方、図１に示されるプラント監視装置１Ａでは、絞込警報メッセージ表示手段９がディスプレイ等の表示部を有しているが、表示装置１５が電気的に接続されている場合には、必ずしも絞込警報メッセージ表示手段９がディスプレイ等の表示部を有している必要はない。また、絞込警報メッセージ表示手段９がディスプレイ等の表示部を有している場合には、必ずしも表示装置１５がプラント監視装置１Ａと電気的に接続されている必要はない。
【００４６】
さらに、図１０に示されるように、プラント監視装置１Ａが、表示レベル付警報条件ＤＢ１２を作成、削除、および、格納される情報の変更（追加および削除を含む）する機能（以下、編集機能とする）を有する表示ラベル付き警報条件ＤＢ編集手段１８をさらに具備して構成されていても良い。このような表示ラベル付き警報条件ＤＢ編集手段１８を具備して構成されるプラント監視装置１Ａでは、監視装置の運用状況に応じた弾力的な警報条件の調整が可能となるので、表示ラベル付き警報条件ＤＢ編集手段１８を具備しない場合と比べてさらに監視員の負担軽減に貢献することができる。
【００４７】
さらにまた、プラント監視装置１Ａは、表示ラベル付き警報条件ＤＢ編集手段１８に限らず、監視員技能ＤＢ１７等、その他のＤＢを含む各種情報についても同様の編集機能を有する編集手段を具備していても良い。上述した点は他の実施形態でも同様である。
【００４８】
［第２の実施形態］
図１１は本発明の第２の実施形態に係るプラント監視装置の一実施例であるプラント監視装置１Ｂの構成を概略的に示したブロック図である。
【００４９】
図１１に示されるように、プラント監視装置１Ｂは、プラント状態量読込手段４と、表示レベル付警報判断手段５と、表示レベル付警報メッセージ作成手段６と、警報メッセージ絞込手段７と、表示レベル絞込警報メッセージ表示手段９とを具備する点は、図１に示されるプラント監視装置１Ａと実質的に同様であるが、さらに、表示レベル絞込警報メッセージ表示手段９の各々に警報メッセージの表示条件を設定する表示条件設定手段２１を具備する点で相違する。そこで、本実施形態では、表示条件設定手段２１を中心に説明し、プラント監視装置１Ａの構成要素と実質的に相違しない構成要素については同じ符号を付して説明を省略する。
【００５０】
図１１に示されるプラント監視装置１Ｂでは、例えば３台等の複数の表示レベル絞込警報メッセージ表示手段９ａ，９ｂ，９ｃを具備する。第１の警報メッセージ絞込手段７ａ、第２の警報メッセージ絞込手段７ｂ、および、第３の警報メッセージ絞込手段７ｃは、それぞれ第１の表示レベル絞込警報メッセージ表示手段９ａ、第２の表示レベル絞込警報メッセージ表示手段９ｂおよび第３の表示レベル絞込警報メッセージ表示手段９ｃに対応しており、警報メッセージ絞込手段７ａ，７ｂ，７ｃ毎に表示条件設定手段２１によって設定された警報メッセージの表示条件に基づいて警報メッセージの絞り込みを行う。
【００５１】
すなわち、図１１に示されるプラント監視装置１Ｂは、警報メッセージ絞込手段７ａ，７ｂ，７ｃ毎に設定された警報メッセージの表示条件に基づいて、警報メッセージの表示条件に合致する警報メッセージを表示レベル絞込警報メッセージ表示手段９ａ，９ｂ，９ｃおよび表示装置１５ａ，１５ｂ，１５ｃにそれぞれ表示する。
【００５２】
図１２は、表示条件設定手段２１によって設定される警報メッセージの表示条件を説明する説明図である。尚、図１２に示される適用表示レベルは、図３と同様に重要度が高いものから順に３，２，１の３段階に設定した場合の例とする。
【００５３】
表示条件設定手段２１は、ユーザから表示レベルの設定を行う対象と、どの表示レベルまで表示を行うかを示す表示レベルとの入力を受け付け、入力を受け付けた表示レベルの情報を設定対象となる警報メッセージ絞込手段７へ送る。すなわち、図１２に示されるように、警報メッセージ絞込手段７ａ，７ｂ，７ｃ毎に設定された表示レベル（図１２に示される適用表示レベル）の情報が表示条件設定手段２１から各警報メッセージ絞込手段７ａ，７ｂ，７ｃへ送られる。
【００５４】
各警報メッセージ絞込手段７ａ，７ｂ，７ｃは、受け取った表示レベルの情報に基づき、表示条件としての適用表示レベルの設定を行う。例えば、第１の警報メッセージ絞込手段７ａは、第１の表示レベル絞込警報メッセージ表示手段９ａ（第１の表示装置１５ａ）に表示される警報メッセージを表示レベル２以下に設定する。同様に、第２の警報メッセージ絞込手段７ｂは表示レベル３以下に設定し、第３の警報メッセージ絞込手段７ｃは表示レベル１以下に設定する。
【００５５】
各警報メッセージ絞込手段７ａ，７ｂ，７ｃに警報メッセージの表示条件が設定されると、各警報メッセージ絞込手段７ａ，７ｂ，７ｃは、表示レベル付警報メッセージ作成手段６が作成した表示レベル付警報メッセージの表示レベルと予め設定された適用表示レベルとを対比して、適用表示レベル以上の表示レベルが設定された表示レベル付警報メッセージを抽出することで、表示レベル付警報メッセージの絞り込みを行う。表示レベル付警報メッセージの絞り込みが完了すると、各警報メッセージ絞込手段７ａ，７ｂ，７ｃは、絞り込まれた表示レベル付警報メッセージのうち警報メッセージとして表示する内容、すなわち、表示形態の項目に記録される情報を読み出して絞込警報メッセージ表示手段９ａ，９ｂ，９ｃへ送る。
【００５６】
絞込警報メッセージ表示手段９ａ，９ｂ，９ｃでは、警報メッセージ絞込手段７ａ，７ｂ，７ｃから絞り込んだ警報メッセージを受け取ると、表示機能を用いて、受けとった警報メッセージを各々の表示部および表示装置１５ａ，１５ｂ，１５ｃに表示する。
【００５７】
尚、図１１に示されるプラント監視装置１Ｂは、図１に示されるプラント監視装置１Ａと絞込警報メッセージ表示手段９および表示装置１５の数が異なっているものの、プラント監視装置１Ｂが行うプラント監視の手順（第２の監視手順）については第１の監視手順と実質的に異なるものではないので、その説明については省略する。
【００５８】
第２の実施形態によれば、各絞込警報メッセージ表示手段９（９ａ，９ｂ，９ｃ）毎に表示する警報メッセージを選別することができるので、各絞込警報メッセージ表示手段９および表示装置１５（１５ａ，１５ｂ，１５ｃ）に対応して監視員が付く場合、監視員毎に警報メッセージの選別を行うことができるので、監視員にとって有益（有効）でない警報メッセージを表示することがなくなり、監視員の負担を軽減することができる。また、警報メッセージが選別されるので、従来装置および方法と比較して表示すべき警報メッセージが表示能力を超えにくくなる。すなわち、重要な情報を確認する前に新しい警報メッセージが次から次へと表示されて表示範囲外となる（又は消去される）リスクを低減することができる。
【００５９】
尚、図１１に示されるプラント監視装置１Ｂは、各絞込警報メッセージ表示手段９ａ，９ｂ，９ｃに対応する警報メッセージ絞込手段７ａ，７ｂ，７ｃを具備して構成されているが、同一機能を有する単一の警報メッセージ絞込手段７を具備するように構成されていても構わない。また、表示条件設定手段２１は、各警報メッセージ絞込手段７ａ，７ｂ，７ｃとそれぞれ対応する複数の表示条件設定手段によって構成されていても構わない。
【００６０】
［第３の実施形態］
図１３は本発明の第３の実施形態に係るプラント監視装置の一実施例であるプラント監視装置１Ｃの構成を概略的に示したブロック図である。
【００６１】
図１３に示されるプラント監視装置１Ｃは、図１に示されるプラント監視装置１Ａに対して、監視員条件設定手段８の代わりに、監視担当設定手段３２を具備する点で相違するが、その他の点では実質的に相違しない。そこで、本実施形態では、監視担当設定手段３２を中心に説明し、プラント監視装置１Ａの構成要素と実質的に相違しない構成要素については同じ符号を付して説明を省略する。
【００６２】
プラント監視装置１Ｃは、図１３に示されるように、プラント状態量読込手段４と、表示レベル付警報判断手段５と、表示レベル付警報メッセージ作成手段６と、警報メッセージ絞込手段７と、警報メッセージ絞込手段７が絞り込む際に必要となる監視員の監視担当を警報メッセージの絞込条件として設定する監視担当設定手段３２と、表示レベル絞込警報メッセージ表示手段９とを具備する。ここで、符号３３は監視員と当該監視員の監視担当設備とを関連付けて構成された監視員担当設備ＤＢであり、符号３４はＰＩＤ番号と監視員の監視対象設備毎の技能レベルとを関連付けて構成された監視対象設備ＤＢである。
【００６３】
プラント監視装置１Ｃの警報メッセージ絞込手段７は、作成された警報メッセージのうち表示する警報メッセージを絞り込む点でプラント監視装置１Ａの警報メッセージ絞込手段７と同様であるが、絞り込みを行う際の条件が異なる。より具体的には、プラント監視装置１Ａの警報メッセージ絞込手段７では、監視員の技能レベルを警報メッセージの絞込条件としているが、プラント監視装置１Ｃの警報メッセージ絞込手段７は、監視員の監視担当毎に設定された技能レベルを絞込条件としている点で相違する。
【００６４】
また、監視担当設定手段３２は、例えば、氏名等の監視員を特定するための情報を入力すると、監視員担当設備ＤＢ３３および監視対象設備ＤＢ３４を参照して監視員が担当する監視対象に対して予め設定された監視員の技能レベルを抽出する。そして、抽出した技能レベルをメッセージ絞込手段７へ送る。すなわち、監視担当設定手段３２は、抽出した技能レベルを警報メッセージ絞込手段７が警報メッセージの絞り込みをする際の条件となるように設定する。
【００６５】
続いて、図１４〜図１８を参照して、図１３に示されるプラント監視装置１Ｃが行うプラント監視の手順（以下、第３の監視手順とする）について説明する。尚、第１の監視手順および第２の監視手順と重複する処理内容については説明を省略する。
【００６６】
プラント監視装置１Ｃでは、まず、プラント状態量読込手段４が、センサ３を介して監視対象のプラント２の状態量を読み込み、読み込んだプラント状態量をプラント状態量ＤＢ１１に記録して格納する。そして、表示レベル付警報判断手段５が、プラント状態量および予め設定された警報メッセージ作成条件に基づき、表示レベル付警報メッセージを作成する必要性を判断する。表示レベル付警報判断手段５が表示レベル付警報メッセージを作成する必要があると判断すると、表示レベル付警報判断手段５は、判断結果を表示レベル付警報メッセージ作成手段６へ送る。そして、表示レベル付警報メッセージ作成手段６は、受け取った判断結果に基づいて、表示レベル付警報メッセージを作成し、表示レベル付警報メッセージＤＢ１３に記録し格納する。
【００６７】
表示レベル付警報メッセージ作成手段６が作成した表示レベル付警報メッセージを表示レベル付警報メッセージＤＢ１３に記録し格納すると、続いて、警報メッセージ絞込手段７が表示レベル付警報メッセージ作成手段６によって作成された表示レベル付警報メッセージのうち表示するものを予め設定された絞込条件にして絞り込みを行う。
【００６８】
図１４、図１５および図１６は、監視担当設定手段３２によって予め設定される警報メッセージの絞込条件を説明する図である。より具体的には、図１４はユーザが監視員条件設定手段８に与える監視員を特定する情報の一例を示す説明図（図６と同様）であり、図１５は監視担当設定手段３２が参照する監視員担当設備ＤＢ３３のデータ構造の一例を示した概略図であり、図１６は監視担当設定手段３２が参照する監視対象設備ＤＢ３４のデータ構造の一例を示した概略図である。
【００６９】
絞込条件を設定する際には、まず、ユーザが、例えば、図１４に示されるように、監視員を特定するための情報としてプラント２を監視する監視員名を監視担当設定手段３２から入力する。図１４に示されるように監視員名「岡本」が入力されると、監視担当設定手段３２は、図１５に示される監視員担当設備ＤＢ３３を参照して監視員「岡本」が監視を担当する設備「ボイラ」という情報を抽出する。続いて、監視担当設定手段３２は、先に抽出した監視担当設備「ボイラ」をキーとして図１６に示される監視対象設備ＤＢ３４から各ＰＩＤ番号に対して設定された技能レベルを絞込条件として抽出する。
【００７０】
図１７は、監視担当設定手段３２が監視担当設備「ボイラ」をキーとして図１６に示される監視対象設備ＤＢ３４から抽出される情報、すなわち、各ＰＩＤ番号に対して設定された技能レベルを示す説明図である。
【００７１】
図１６に示される監視対象設備ＤＢ３４によれば、監視担当設備がボイラの場合、ＰＩＤ番号Ｔ０００，Ｂ００１，Ｇ００２，Ｚ＊＊＊のそれぞれに対応する技能レベルは、２，１，２，３と設定されている。監視担当設定手段３２は、図１７に示されるように、監視担当設備「ボイラ」をキーとしてＰＩＤ番号Ｔ０００の技能レベル２、ＰＩＤ番号Ｂ００１の技能レベル１、ＰＩＤ番号Ｇ００２の技能レベル２、および、ＰＩＤ番号Ｚ＊＊＊の技能レベル３を絞込条件として抽出する。監視員担当設定手段３２によって抽出されたＰＩＤ番号毎の技能レベルは、警報メッセージ絞込手段７へ通知される。警報メッセージ絞込手段７は、受け取った各ＰＩＤ番号に対する技能レベルを絞込条件として設定する。
【００７２】
続いて、警報メッセージ絞込手段７は、図５に示される表示レベル付警報メッセージＤＢ１３に格納される表示レベル付き警報メッセージを読み出し、読み出した表示レベル付き警報メッセージのうち監視担当設備におけるＰＩＤ番号と絞込条件として設定された各ＰＩＤ番号とを突き合せて、設定された表示レベルが設定された絞込条件の技能レベル以上（重要度が高い）であれば、表示レベル付き警報メッセージを抽出し、そのうち警報メッセージとして表示する内容、すなわち、表示形態の項目に記録される情報を読み出して絞込警報メッセージ表示手段９へ送る。
【００７３】
図１８は、図１７に示される絞込条件が設定された警報メッセージ絞込手段７が絞り込んだ表示レベル付警報メッセージにおける表示形態に記録される情報（警報メッセージとして表示される内容）を示す図である。
【００７４】
図５に示される表示レベル付警報メッセージＤＢ１３に格納される表示レベル付き警報メッセージのうち、その表示レベルが図１７に示される技能レベル以上となるのは、ＰＩＤ番号がＢ００１のみである。従って、図５に示される表示レベル付警報メッセージＤＢ１３のうち、ＰＩＤ番号Ｂ００１の表示形態の項目の情報が抽出される。すなわち、図１８に示される「Ｂ００１  ボイラ出口蒸気温度  ５３８以上  ＝  ５４０」が抽出される。以降の処理については、警報メッセージ絞込手段７と同様に、表示レベル付き警報メッセージから抽出した警報メッセージを絞込警報メッセージ表示手段９へ送る。
【００７５】
第３の実施形態によれば、第１の実施形態による効果に加え、監視員の監視担当に応じて絞込警報メッセージ表示手段９および表示装置１５に表示する警報メッセージを選別することができるので、監視担当範囲以外での細微な警報情報の提供を防ぐことができ、不要な警報情報から無用な混乱を与えることを防ぐことができる。
【００７６】
［第４の実施形態］
図１９は本発明の第４の実施形態に係るプラント監視装置の一実施例であるプラント監視装置１Ｄの構成を概略的に示したブロック図である。
【００７７】
図１９に示されるプラント監視装置１Ｄは、図１１に示されるプラント監視装置１Ｂの構成を図１に示されるプラント監視装置１Ａの代わりに、図１３に示されるプラント監視装置１Ｃに対して適用した装置である。すなわち、図１９に示されるように、プラント監視装置１Ｄは、プラント監視装置１Ｂに対して、表示条件設定手段２１の代わりに、表示条件設定手段３６を具備する点で相違するが、その他の点では実質的に相違しない。そこで、実質的に相違しない構成要素については、同じ符号を付して説明を省略する。
【００７８】
プラント監視装置１Ｄでは、例えば３台等の複数の表示レベル絞込警報メッセージ表示手段９ａ，９ｂ，９ｃを具備する。第１の警報メッセージ絞込手段７ａ、第２の警報メッセージ絞込手段７ｂ、および、第３の警報メッセージ絞込手段７ｃは、それぞれ第１の表示レベル絞込警報メッセージ表示手段９ａ、第２の表示レベル絞込警報メッセージ表示手段９ｂおよび第３の表示レベル絞込警報メッセージ表示手段９ｃに対応しており、警報メッセージ絞込手段７ａ，７ｂ，７ｃ毎に表示条件設定手段３６によって設定された警報メッセージの表示条件に基づいて警報メッセージの絞り込みを行う。尚、警報メッセージ絞込手段７ａ，７ｂ，７ｃについては、第３の実施形態で警報メッセージ絞込手段７について説明した通りなので省略する。
【００７９】
次に、プラント監視装置１Ｄが行うプラント監視の手順（以下、第４の監視手順とする）について説明する。尚、第４の監視手順は、第３の監視手順に対して、警報メッセージ絞込手段７（警報メッセージ絞込手段７ａ，７ｂ，７ｃ）が警報メッセージを絞り込む際の絞込条件の設定内容が異なる以外は実質的な相違は無いので、絞込条件の設定内容について説明する。また、第１の監視手順〜第３の監視手順と重複する処理内容については説明を省略する。
【００８０】
図２０は、表示条件設定手段３６によって設定される警報メッセージの表示条件を説明する説明図である。ここで、図２０に示される設備分類は、監視対象となる設備である。
【００８１】
まず、ユーザは、表示条件設定手段３６から、監視員が監視対象としてモニタリングする設備の情報を表示レベル絞込警報メッセージ表示手段９ａ，９ｂ，９ｃ毎に入力し設定する。例えば、図２０に示される例では、ユーザは、第１の表示レベル絞込警報メッセージ表示手段９ａにボイラ、第２の表示レベル絞込警報メッセージ表示手段９ｂにタービン、第３の表示レベル絞込警報メッセージ表示手段９ｃに電気を監視対象として設定している。
【００８２】
表示条件設定手段３６は、図２０に示されるように表示レベル絞込警報メッセージ表示手段９ａ，９ｂ，９ｃ毎に監視対象となる設備が設定されると、図１６に示される監視対象設備ＤＢ３４を参照して表示レベル絞込警報メッセージ表示手段９ａ，９ｂ，９ｃ毎に設定された監視担当設備をキーとしてＰＩＤ番号毎の技能レベルを絞込条件として抽出する。すなわち、図１７に示されるような情報を表示レベル絞込警報メッセージ表示手段９ａ，９ｂ，９ｃ毎に抽出して、抽出した情報を表示レベル絞込警報メッセージ表示手段９ａ，９ｂ，９ｃのそれぞれと対応する警報メッセージ絞込手段７ａ，７ｂ，７ｃへ送る。この処理以降、第４の監視手順では、警報メッセージ絞込手段７ａ，７ｂ，７ｃ毎に第３の監視手順と同様の処理が実行される。
【００８３】
第４の実施形態によれば、各絞込警報メッセージ表示手段９（９ａ，９ｂ，９ｃ）毎に表示する警報メッセージを選別することができるので、各絞込警報メッセージ表示手段９および表示装置１５（１５ａ，１５ｂ，１５ｃ）に対応して監視員が付く場合、監視員の監視担当設備毎に警報メッセージを分担することができるので、表示装置１台分の表示限界を超えてしまう場合であっても警報メッセージを提供することができる。すなわち、重要な情報を確認する前に新しい警報メッセージが次から次へと表示されて表示範囲外となる（又は消去される）リスクを低減することができる。
【００８４】
尚、図１９に示されるプラント監視装置１Ｄは、各絞込警報メッセージ表示手段９ａ，９ｂ，９ｃに対応する警報メッセージ絞込手段７ａ，７ｂ，７ｃを具備して構成されているが、同一機能を有する単一の警報メッセージ絞込手段７を具備するように構成されていても構わない。また、表示条件設定手段３６は、各警報メッセージ絞込手段７ａ，７ｂ，７ｃとそれぞれ対応する複数の表示条件設定手段によって構成されていても構わない。
【００８５】
［第５の実施形態］
図２１は本発明の第５の実施形態に係るプラント監視装置の一実施例であるプラント監視装置１Ｅの構成を概略的に示したブロック図である。
【００８６】
図２１に示されるように、プラント監視装置１Ｅは、図１に示されるプラント監視装置１Ａに対して、監視員条件設定手段８の代わりにプラント状態設定手段４０を具備する点で相違するが、その他の点については実質的に相違しない。そこで、本実施形態では、プラント状態設定手段４０を中心に説明し、プラント監視装置１Ａの構成要素と実質的に相違しない構成要素については同じ符号を付して説明を省略する。
【００８７】
図２１に示されるプラント監視装置１Ｅは、プラント状態量読込手段４と、表示レベル付警報判断手段５と、表示レベル付警報メッセージ作成手段６と、警報メッセージ絞込手段７と、プラント２の状態に基づき決定した表示レベルを絞込条件として設定するプラント状態設定手段４０と、表示レベル絞込警報メッセージ表示手段９とを具備する。
【００８８】
プラント状態設定手段４０は、プラント２の状態量に基づいて適用する表示レベルを決定する。プラント２の状態量は、プラント状態設定手段４０がプラント状態量ＤＢ１１を参照することで取得することができる。また、適用する表示レベルは、プラント状態設定手段４０が予め用意されたプラント状態ＤＢ４１を参照し、取得したプラント状態量が適用条件に合致するか否かによって決定される。
【００８９】
図２２は、プラント状態設定手段４０が参照するプラント状態ＤＢ４１のデータ構造の一例を示した概略図である。
【００９０】
図２２に示されるように、プラント状態ＤＢ４１は、プラント２の状態と適用される表示レベルとを関連付けて構成される。プラント状態設定手段４０は、ＰＩＤ番号毎にその状態量を取得し、取得したプラント状態ＤＢ４１の適用条件に合致するか否かを判定する。そして、合致する場合、プラント状態設定手段４０は、プラント状態ＤＢ４１から当該条件に合致する際に適用する表示レベル（適用表示レベル）を警報メッセージの絞込条件として設定する。すなわち、プラント状態設定手段４０は、適用表示レベルを送り、適用表示レベルを受け取った警報メッセージ絞込手段７は、警報メッセージの絞込条件として適用表示レベルを設定する。
【００９１】
図２に示されるプラント状態量ＤＢ１１に基づくプラント状態量および図２２に示されるプラント状態ＤＢ４１に設定された適用条件および適用表示レベルの例では、プラント状態が「点火」、「計算機正常」および「プリンタ故障」の場合にプラント状態ＤＢ４１に設定された適用条件を満たしている。適用条件を満たすプラント状態が複数ある場合には最も適用表示レベルが低い（重要度の低い）レベルを警報メッセージの絞込条件として設定する。上記の例では、プラント状態が「点火」の適用条件を満たした場合に適用される適用表示レベルが最も低い「１」であり、この適用表示レベルがプラント状態設定手段４０によって設定される。
【００９２】
次に、プラント監視装置１Ｅが行うプラント監視の手順（以下、第５の監視手順とする）について説明する。尚、第１の監視手順〜第４の監視手順と実質的に重複する処理内容については説明を省略する。
【００９３】
プラント監視装置１Ｅでは、プラント監視装置１Ａと同様にして監視対象のプラント２の状態量を読み込み等の処理ステップを経て表示レベル付警報メッセージが作成され、作成された表示レベル付警報メッセージは表示レベル付警報メッセージＤＢ１３に記録され格納される。そして、警報メッセージ絞込手段７は、プラント状態設定手段４０が設定した適用表示レベルを絞込条件として、表示レベル付警報メッセージ作成手段６が作成した表示レベル付警報メッセージのうち表示レベルが適用表示レベル以上（適用表示レベルよりも重要度の高い表示レベル）であることを絞込条件にして絞り込みを行う。以降の処理ステップは第１の監視手順と実質的に同様である。
【００９４】
第５の実施形態によれば、監視対象となるプラント２の状態に応じて適用される表示レベルが設定されるため、絞込警報メッセージ表示手段９および表示装置１５に表示する警報メッセージを選別することができ、監視員の負担を軽減することができる。
【００９５】
［第６の実施形態］
図２３は本発明の第６の実施形態に係るプラント監視装置の一実施例であるプラント監視装置１Ｆの構成を概略的に示したブロック図である。
【００９６】
図２３に示されるように、プラント監視装置１Ｆは、図１に示されるプラント監視装置１Ａに対して、監視員条件設定手段８の代わりに、運用状態設定手段４５を具備する点で相違するが、その他の点については実質的に相違しない。そこで、本実施形態では、運用状態設定手段４５を中心に説明し、プラント監視装置１Ａの構成要素と実質的に相違しない構成要素については同じ符号を付して説明を省略する。
【００９７】
図２３に示されるプラント監視装置１Ｆは、プラント状態量読込手段４と、表示レベル付警報判断手段５と、表示レベル付警報メッセージ作成手段６と、警報メッセージ絞込手段７と、運用状態に基づき決定した表示レベルを絞込条件として設定する運用状態設定手段４５と、表示レベル絞込警報メッセージ表示手段９とを具備する。
【００９８】
運用状態設定手段４５は、プラント２の運用状態に基づいて適用する表示レベルを決定する。プラント２の運用状態は、例えば、ユーザ（監視員）の入力により与えられる。また、適用する表示レベルは、運用状態設定手段４５が予め用意された運用状態ＤＢ４６を参照し、与えられたプラント２の運用状態と対応する表示レベルを設定する。
【００９９】
次に、図２３に示されるプラント監視装置１Ｆが行うプラント監視の手順（以下、第６の監視手順とする）について説明する。尚、第１の監視手順〜第５の監視手順と重複する処理内容については説明を省略する。
【０１００】
プラント監視装置１Ｆでは、まず、プラント監視装置１Ａと同様にして監視対象のプラント２の状態量を読み込み等の処理ステップを経て表示レベル付警報メッセージが作成され、作成された表示レベル付警報メッセージは表示レベル付警報メッセージＤＢ１３に記録され格納される。続いて、ユーザから運用状態の入力を受け付け、運用状態設定手段４５がプラント２の運用状態がどの状態であるかの情報を受け取ると、警報メッセージ絞込手段７は、運用状態設定手段４５から送られた適用表示レベルを絞込条件として警報メッセージの絞り込みを行う。
【０１０１】
図２４および図２５は、運用状態設定手段４５によって予め設定される警報メッセージの絞込条件を説明する図である。より具体的には、図２４はユーザが運用状態設定手段４５に与えるプラント２の運用状態を特定する情報の一例を示す説明図であり、図２５は運用状態設定手段４５が参照する運用状態ＤＢ４６のデータ構造の一例を示した概略図である。
【０１０２】
絞込条件を設定する際には、まず、ユーザが、例えば、図２４に示されるように、運用状態の一例である「定期点検中」を運用状態設定手段４５から入力してプラント２の運用状態を特定するための情報を運用状態設定手段４５に与える。図２４に示されるように運用状態「定期点検中」が入力されると、運用状態設定手段４５は、図２５に示される運用状態ＤＢ４６の運用状態「定期点検中」を参照して、運用状態「定期点検中」におけるＰＩＤ番号毎の表示レベルを抽出して取得する。
【０１０３】
図２６は、運用状態設定手段４５が運用状態「定期点検中」をキーとして図２５に示される運用状態ＤＢ４６から抽出される情報、すなわち、各ＰＩＤ番号に対して設定された表示レベルを示す説明図である。
【０１０４】
図２５に示される運用状態ＤＢ４６によれば、運用状態が定期点検中の場合、ＰＩＤ番号Ｔ０００，Ｂ００１，Ｇ００２，Ｚ＊＊＊のそれぞれに対応する表示レベルは、３，３，３，３と設定されている。運用状態設定手段４５は、図２６に示されるように、運用状態「定期点検中」をキーとしてＰＩＤ番号Ｔ０００の表示レベル３、ＰＩＤ番号Ｂ００１の表示レベル３、ＰＩＤ番号Ｇ００２の表示レベル３、および、ＰＩＤ番号Ｚ＊＊＊の表示レベル３を絞込条件として抽出する。
【０１０５】
運用状態設定手段４５によって抽出されたＰＩＤ番号毎の表示レベルは、警報メッセージ絞込手段７へ通知される。警報メッセージ絞込手段７は、受け取った各ＰＩＤ番号に対する表示レベルを表示する警報メッセージの絞込条件として設定する。以降の処理ステップは第１の監視手順と実質的に同様である。
【０１０６】
第６の実施形態によれば、プラント２の運用状態に応じて絞込警報メッセージ表示手段９および表示装置１５に表示する警報メッセージを選別することができるので、監視員の負担を軽減することができる。
【０１０７】
［第７の実施形態］
図２７は本発明の第７の実施形態に係るプラント監視装置の一実施例であるプラント監視装置１Ｇの構成を概略的に示したブロック図である。
【０１０８】
図２７に示されるように、プラント監視装置１Ｇは、図１に示されるプラント監視装置１Ａに対して、監視員条件設定手段８の代わりに、警報設定手段５０を具備する点で相違するが、その他の点については実質的に相違しない。そこで、本実施形態では、設定手段４０を中心に説明し、プラント監視装置１Ａの構成要素と実質的に相違しない構成要素については同じ符号を付して説明を省略する。
【０１０９】
図２７に示されるプラント監視装置１Ｇは、プラント状態量読込手段４と、表示レベル付警報判断手段５と、表示レベル付警報メッセージ作成手段６と、警報メッセージ絞込手段７と、警報通知手段５１から受け取った警報通知に基づき決定した表示レベルを絞込条件として設定する警報設定手段５０と、表示レベル絞込警報メッセージ表示手段９とを具備する。ここで、警報通知手段５１とは、プラント２の動作とは直接的に関係しないが、プラント２の動作に影響を及ぼしかねないプラント２の外部環境についての警報を通知する手段である。
【０１１０】
次に、図２８および図２９を参照して、図２７に示されるプラント監視装置１Ｇが行うプラント監視の手順（以下、第７の監視手順とする）について説明する。尚、第１の監視手順〜第６の監視手順と重複する処理内容については説明を省略する。
【０１１１】
プラント監視装置１Ｇでは、プラント監視装置１Ａと同様にして監視対象のプラント２の状態量を読み込み等の処理ステップを経て表示レベル付警報メッセージが作成され、作成された表示レベル付警報メッセージは表示レベル付警報メッセージＤＢ１３に記録され格納される。そして、警報メッセージ絞込手段７は、警報設定手段５０が設定した適用表示レベルを絞込条件として、表示レベル付警報メッセージ作成手段６が作成した表示レベル付警報メッセージのうち表示レベルが適用表示レベル以上（適用表示レベルよりも重要度の高い表示レベル）であることを絞込条件にして絞り込みを行う。
【０１１２】
図２８は、警報通知手段５１から受け取る警報通知の一例を示す説明図であり、図２９は、警報設定手段５０によって設定される警報メッセージの絞込条件を説明する説明図である。尚、図２９に示される適用表示レベルは、図３と同様に重要度が高いものから順に３，２，１の３段階に設定した場合の例とする。
【０１１３】
警報通知手段５１は、例えば、図２８に示される落雷発生等の警報を警報設定手段５０へ通知する。警報の通知を受けた警報設定手段５０は、受け取った警報通知に基づき表示レベルを決定する。より具体的には、警報設定手段５０には、図２９で示されるように、警報通知の内容毎に適用表示レベルが設定されているので、警報設定手段５０は受け取った警報通知「落雷発生」をキーとして適用する表示レベルを決定することができる。警報設定手段５０が決定した表示レベルは、警報設定手段５０から警報メッセージ絞込手段７へ送られ、警報メッセージの絞込条件として設定される。その後の処理ステップは第１の監視手順と同様である。
【０１１４】
第７の実施形態によれば、地震、落雷、周辺施設の火災等、プラント２とは直接的に関係しない警報についても適用表示レベルを設定しておくことで、絞込警報メッセージ表示手段９および表示装置１５に表示する警報メッセージを選別することができる。また、取得する警報の内容に応じて絞込警報メッセージ表示手段９および表示装置１５に表示する警報メッセージを選別することができるので、監視員がプラント２以外の状況に注意を払う必要が無くなり、監視員の負担を軽減させることができる。
【０１１５】
尚、図２７に示されるプラント監視装置１Ｇは、警報通知手段５１が装置外部に設けられており、警報通知手段５１を具備しない構成であるが、プラント監視装置１Ｇは警報通知手段５１を具備して構成されていても良い。
【０１１６】
以上、本発明によれば、監視員の状況やプラントの状況に応じて絞込警報メッセージ表示手段９および表示装置１５に表示する警報メッセージを選別して情報提供できるので、監視員の負担を軽減させることができる。また、警報メッセージが選別されるので、従来装置および方法と比較して表示すべき警報メッセージが表示能力を超えにくくなる。すなわち、重要な情報を確認する前に新しい警報メッセージが次から次へと表示されて表示範囲外となる（又は消去される）リスクを低減することができる。
【０１１７】
尚、本発明は上記の各実施形態そのままに限定されるものではなく、実施段階ではその要旨を逸脱しない範囲で構成要素を変形して具体化しても良い。また、上記の各実施形態に開示されている複数の構成要素の適宜な組み合わせにより、種々の発明を形成できる。例えば、実施形態に示される全構成要素から幾つかの構成要素を削除しても良い。さらに、異なる実施形態にわたる構成要素を適宜組み合わせても良い。
【図面の簡単な説明】
【０１１８】
【図１】本発明の第１の実施形態に係るプラント監視装置（表示ラベル付き警報条件ＤＢ編集手段を具備しない実施例）の構成を概略的に示したブロック図。
【図２】本発明に係るプラント監視装置の監視対象となるプラントの状態量を格納するプラント状態量ＤＢのデータ構造の一例を示した概略図。
【図３】本発明に係るプラント監視装置の警報メッセージ作成条件を格納した表示レベル付警報条件ＤＢのデータ構造の一例を示した概略図。
【図４】本発明に係るプラント監視装置の表示レベル付警報メッセージ作成手段が受け取る表示レベル付警報判断手段の判断結果のデータ構造の一例を示した概略図。
【図５】本発明に係るプラント監視装置の表示レベル付警報メッセージ作成手段が作成した表示レベル付警報メッセージの内容を格納した表示レベル付警報メッセージＤＢのデータ構造の一例を示した概略図。
【図６】本発明に係るプラント監視装置の監視員条件設定手段にユーザが与える監視員を特定する情報の一例を示す説明図。
【図７】本発明に係るプラント監視装置の監視員条件設定手段が監視員の条件を設定する際に参照する監視員技能のデータ構造の一例を示した概略図。
【図８】本発明に係るプラント監視装置の警報メッセージ絞込手段が絞り込みを行った表示レベル付警報メッセージにおける表示形態に記録される情報（警報メッセージとして表示される内容）を示す図であって、監視員が「小林」であった場合を示す説明図。
【図９】本発明に係るプラント監視装置の警報メッセージ絞込手段が絞り込みを行った表示レベル付警報メッセージにおける表示形態に記録される情報（警報メッセージとして表示される内容）を示す図であって、監視員が「岡本」であった場合を示す説明図。
【図１０】本発明の第１の実施形態に係るプラント監視装置（表示ラベル付き警報条件ＤＢ編集手段を具備した実施例）の構成を概略的に示したブロック図。
【図１１】本発明の第２の実施形態に係るプラント監視装置の構成を概略的に示したブロック図。
【図１２】本発明の第２の実施形態に係るプラント監視装置の表示条件設定手段によって設定される警報メッセージの表示条件を説明する説明図。
【図１３】本発明の第３の実施形態に係るプラント監視装置の構成を概略的に示したブロック図。
【図１４】本発明の第３の実施形態に係るプラント監視装置の監視員条件設定手段にユーザが与える監視員を特定する情報の一例を示す説明図。
【図１５】本発明の第３の実施形態に係るプラント監視装置の監視担当設定手段が参照する監視員担当設備ＤＢのデータ構造の一例を示した概略図。
【図１６】本発明の第３の実施形態に係るプラント監視装置の監視担当設定手段が参照する監視対象設備ＤＢのデータ構造の一例を示した概略図。
【図１７】本発明の第３の実施形態に係るプラント監視装置の監視担当設定手段が監視担当設備をキーとして図１６に示される監視対象設備ＤＢから抽出される情報（各ＰＩＤ番号に対して設定された技能レベル）を示す説明図。
【図１８】本発明の第３の実施形態に係るプラント監視装置において、図１７に示される絞込条件が設定された警報メッセージ絞込手段によって絞り込まれた表示レベル付警報メッセージの表示形態に記録される情報（警報メッセージとして表示される内容）を示す説明図。
【図１９】本発明の第４の実施形態に係るプラント監視装置の構成を概略的に示したブロック図。
【図２０】本発明の第４の実施形態に係るプラント監視装置の表示条件設定手段によって設定される警報メッセージの表示条件を説明する説明図。
【図２１】本発明の第５の実施形態に係るプラント監視装置の構成を概略的に示したブロック図。
【図２２】本発明の第５の実施形態に係るプラント監視装置のプラント状態設定手段が参照するプラント状態ＤＢのデータ構造の一例を示した概略図。
【図２３】本発明の第６の実施形態に係るプラント監視装置の構成を概略的に示したブロック図。
【図２４】本発明の第６の実施形態に係るプラント監視装置の運用状態設定手段に与えられるプラントの運用状態を特定する情報の一例を示す説明図。
【図２５】本発明の第６の実施形態に係るプラント監視装置の運用状態設定手段が参照する運用状態ＤＢのデータ構造の一例を示した概略図。
【図２６】本発明の第６の実施形態に係るプラント監視装置の運用状態設定手段が運用状態「定期点検中」をキーとして運用状態ＤＢから抽出される情報を示す説明図。
【図２７】本発明の第７の実施形態に係るプラント監視装置の構成を概略的に示したブロック図。
【図２８】本発明の第７の実施形態に係るプラント監視装置の警報通知手段から受け取る警報通知の一例を示す説明図。
【図２９】本発明の第７の実施形態に係るプラント監視装置の警報設定手段によって設定される警報メッセージの絞込条件を説明する説明図。
【符号の説明】
【０１１９】
１Ａ，１Ｂ，１Ｃ，１Ｄ，１Ｅ，１Ｆ，１Ｇ  プラント監視装置
２  プラント
３  センサ
４  プラント状態量読込手段
５  表示レベル付警報判断手段
６  表示レベル付警報メッセージ作成手段
７  警報メッセージ絞込手段
８  監視員条件設定手段
９（９ａ，９ｂ，９ｃ）  絞込警報メッセージ表示手段
１１  プラント状態量ＤＢ
１２  表示レベル付警報条件ＤＢ
１３  表示レベル付警報メッセージＤＢ
１５（１５ａ，１５ｂ，１５ｃ）  表示装置
１７  監視員技能ＤＢ
１８  表示ラベル付き警報条件ＤＢ編集手段
２１  表示条件設定手段
３２  監視担当設定手段
３３  監視員担当設備ＤＢ
３４  監視対象設備ＤＢ
３６  表示条件設定手段
４０  プラント状態設定手段
４１  プラント状態ＤＢ
４５  運用状態設定手段
４６  運用状態ＤＢ
５０  外部警報設定手段
５１  警報通知手段
【図１】
2009070331.tif 000003
【図２】
2009070331.tif 000004
【図３】
2009070331.tif 000005
【図４】
2009070331.tif 000006
【図５】
2009070331.tif 000007
【図６】
2009070331.tif 000008
【図７】
2009070331.tif 000009
【図８】
2009070331.tif 000010
【図９】
2009070331.tif 000011
【図１０】
2009070331.tif 000012
【図１１】
2009070331.tif 000013
【図１２】
2009070331.tif 000014
【図１３】
2009070331.tif 000015
【図１４】
2009070331.tif 000016
【図１５】
2009070331.tif 000017
【図１６】
2009070331.tif 000018
【図１７】
2009070331.tif 000019
【図１８】
2009070331.tif 000020
【図１９】
2009070331.tif 000021
【図２０】
2009070331.tif 000022
【図２１】
2009070331.tif 000023
【図２２】
2009070331.tif 000024
【図２３】
2009070331.tif 000025
【図２４】
2009070331.tif 000026
【図２５】
2009070331.tif 000027
【図２６】
2009070331.tif 000028
【図２７】
2009070331.tif 000029
【図２８】
2009070331.tif 000030
【図２９】
2009070331.tif 000031